(57)【要約】【課題】レンズの成形ばらつきが生じても、光学特性への影響を抑制する光源ユニットを提供する。【解決手段】光源ユニットは、ベースと、ベースに取り付けられ、光を出射する発光部と、発光部の光の出射方向側に配置され、縁部が延びてフランジとなっているレンズと、ベースに取り付けられ、フランジが載置されてレンズを保持する保持部と、を備え、保持部は、ベースに取り付けられレンズの発光部側の面に対面する部材と、レンズとの間に、空隙が形成されるように、レンズを保持する。【選択図】図６
2018186051.tif 000002
【特許請求の範囲】
【請求項１】
ベースと、
前記ベースに取り付けられ、光を出射する発光部と、
前記発光部の光の出射方向側に配置され、縁部が延びてフランジとなっているレンズと、
前記ベースに取り付けられ、前記フランジが載置されて前記レンズを保持する保持部と、を備え、
前記保持部は、
前記ベースに取り付けられ前記レンズの発光部側の面に対面する部材と、前記レンズとの間に、空隙が形成されるように、前記レンズを保持する
光源ユニット。
【請求項２】
前記ベースは、天井に取り付けられ、前記発光部の光の出射方向が床に向かっており、
前記レンズは、
重力によって、前記保持部に載置されている
請求項１記載の光源ユニット。
【請求項３】
前記空隙に設けられ、前記レンズよりも柔らかい柔軟部材を更に備える
請求項１又は２記載の光源ユニット。
【請求項４】
前記レンズは、
ガラス材料を用いて形成される
請求項１〜３のいずれか１項に記載の光源ユニット。
【請求項５】
前記空隙の幅は、
前記フランジの上限側最大ばらつき値と、前記ベースに取り付けられ前記レンズの発光部側の面に対面する部材の上限側最大ばらつき値と、前記保持部が前記ベースに取り付けられるときの上限側最大ばらつき値とを加算した値以上である
請求項１〜４のいずれか１項に記載の光源ユニット。
【請求項６】
前記保持部は、
前記ベースから離れた状態で、取付部材によって前記ベースに取り付けられる
請求項１〜５のいずれか１項に記載の光源ユニット。
【請求項７】
前記保持部は、
前記ベースに接触した状態で、取付部材によって前記ベースに取り付けられる
請求項１〜５のいずれか１項に記載の光源ユニット。
【請求項８】
前記ベースに取り付けられ前記レンズの発光部側の面に対面する部材は、
前記発光部を保持するソケットの縁部である
請求項１〜７のいずれか１項に記載の光源ユニット。
【請求項９】
前記ソケットは、
前記ベースに取り付けられる裏ソケットと、
前記発光部を収納する収納空間が形成され、前記裏ソケットと共に前記発光部を挟持する表ソケットと、を有し、
前記保持部は、
前記裏ソケットと一体的に形成されている
請求項８記載の光源ユニット。
【請求項１０】
前記ベースに取り付けられ前記レンズの発光部側の面に対面する部材は、
前記発光部が実装された基板の縁部である
請求項１〜７のいずれか１項に記載の光源ユニット。
【発明の詳細な説明】
【技術分野】
【０００１】
本発明は、光源から出射された光の進行方向を制御する光源ユニットに関する。
【背景技術】
【０００２】
従来、レンズを備える光源ユニットが知られている。レンズは、光源から出射された光の進行方向を制御する。特許文献１には、レンズを備える非常用光源ユニットが設けられた照明器具が開示されている。特許文献１の非常用光源ユニットは、ベースと、ベースに取り付けられたＬＥＤモジュールと、ＬＥＤモジュールをベースに固定する第１支持部と、第１支持部に支持されたレンズとを有している。レンズは、縁部が水平に延びたフランジとなっており、第１支持部に設けられた引掛部と、引掛部の先端に設けられた爪とによって、フランジが第１支持部側に押圧されて、レンズが第１支持部に固定されている。
【先行技術文献】
【特許文献】
【０００３】
【特許文献１】特開２０１６−１３９５０８号公報
【発明の概要】
【発明が解決しようとする課題】
【０００４】
特許文献１に開示された照明器具は、レンズのフランジの厚さが、設計値よりも厚い場合がある。これは、レンズが成形されるときの成形ばらつきに起因する。フランジの厚さが設計値よりも厚いと、第１支持部の爪に嵌まらなくなって、レンズの取付不良が発生する。このため、レンズのフランジを設計値の厚さになるまで研磨する必要があり、作業工数が増加する。また、仮に、特許文献１に開示された照明器具において、第１支持部の爪が可動する構成に変更されたとしても、フランジの厚さが設計値より厚い場合、第１支持部の爪に嵌まるものの、ＬＥＤモジュールとレンズとの距離が設計値よりも離れてしまい、所望の光学特性を得ることができない。
【０００５】
本発明は、上記のような課題を解決するためになされたもので、レンズの成形ばらつきが生じても、光学特性への影響を抑制する光源ユニットを提供するものである。
【課題を解決するための手段】
【０００６】
本発明に係る光源ユニットは、ベースと、ベースに取り付けられ、光を出射する発光部と、発光部の光の出射方向側に配置され、縁部が延びてフランジとなっているレンズと、ベースに取り付けられ、フランジが載置されてレンズを保持する保持部と、を備え、保持部は、ベースに取り付けられレンズの発光部側の面に対面する部材と、レンズとの間に、空隙が形成されるように、レンズを保持する。
【発明の効果】
【０００７】
本発明によれば、ベースに取り付けられレンズの発光部側の面に対面する部材と、レンズとの間に、空隙が形成されている。このため、レンズの成形ばらつきによってフランジが設計値より厚くても、フランジは当該部材を押圧しない。従って、発光部とレンズとの距離が設計値に保たれる。このように、光源ユニットは、レンズの成形ばらつきが生じても、光学特性への影響を抑制することができる。
【図面の簡単な説明】
【０００８】
【図１】本発明の実施の形態１における照明器具２を示す組立斜視図である。
【図２】本発明の実施の形態１における照明器具２を示す分解斜視図である。
【図３】本発明の実施の形態１に係る光源ユニット１を示す底面図である。
【図４】本発明の実施の形態１に係る光源ユニット１を示す組立正面断面図である。
【図５】本発明の実施の形態１に係る光源ユニット１を示す分解正面断面図である。
【図６】本発明の実施の形態１に係る光源ユニット１を示す正面断面図の拡大図である。
【図７】比較例に係る光源ユニット１００を示す正面断面図の拡大図である。
【図８】本発明の実施の形態２に係る光源ユニット２００を示す正面断面図である。
【図９】本発明の実施の形態３に係る光源ユニット３００を示す正面断面図である。
【図１０】本発明の実施の形態４に係る光源ユニット４００を示す正面断面図である。
【図１１】本発明の実施の形態５における照明器具５００を示す斜視図である。
【図１２】本発明の実施の形態６における照明器具６００を示す斜視図である。
【発明を実施するための形態】
【０００９】
実施の形態１．
以下、本発明に係る光源ユニットの実施の形態について、図面を参照しながら説明する。図１は、本発明の実施の形態１における照明器具２を示す組立斜視図、図２は、本発明の実施の形態１における照明器具２を示す分解斜視図である。図１及び図２に基づいて、照明器具２について説明する。図１及び図２に示すように、照明器具２は、天井に形成された開口に埋め込まれる埋め込み式の照明器具２であり、外枠３と、点灯装置４と、バッテリー５と、光源ユニット１とを備えている。なお、本実施の形態１の照明器具２は、非常用の非常灯として使用されるが、これに限らず、常用の照明器具としてもよい。
【００１０】
外枠３は、有底円筒状の金属部材であり、天井に形成された開口に埋め込まれる。外枠３の開口部３ａには、径方向に延びる鍔部３ｂが設けられており、外枠３の側面には、光源取付孔３ｃが形成されている。点灯装置４は、外枠３の内部に配置され、光源ユニット１に電力を供給する。バッテリー５は、外枠３の内部に配置され、蓄電池を収納し、点灯装置４に電力を供給する。
【００１１】
図３は、本発明の実施の形態１に係る光源ユニット１を示す底面図である。図２及び図３に示すように、光源ユニット１は、外枠３の開口部３ａを塞ぐように外枠３に取り付けられ、照射対象空間に光を照射する。光源ユニット１は、発光装置６と、カバー７と、取付具８とを有している。発光装置６は、点灯装置４から供給された電力によって、光を照射する。カバー７は、発光装置６の外周を覆う円板状の部材であり、外枠３の開口部３ａを塞ぐ。取付具８は、カバー７の裏面に設けられており、外枠３の光源取付孔３ｃに引っ掛かって、カバー７を外枠３に取り付ける金具である。
【００１２】
次に、照明器具２の組み立てについて説明する。外枠３の内部に点灯装置４及びバッテリー５が収容される。そして、光源ユニット１のカバー７が、外枠３の開口部３ａを塞ぐように配置され、取付具８が光源取付孔３ｃに引っ掛かることによって、カバー７の裏面が外枠３の鍔部３ｂに接触した状態で、照明器具２が組み立てられる。そして、照明器具２は、天井の開口に埋め込まれる。
【００１３】
図４は、本発明の実施の形態１に係る光源ユニット１を示す組立正面断面図であり、図２及び図３のＡ−Ａ断面図である。図５は、本発明の実施の形態１に係る光源ユニット１を示す分解正面断面図である。図４及び図５に示すように、光源ユニット１の発光装置６は、ベース１０と、ソケット２０と、光源モジュール３０と、レンズ４０と、押さえ部５０とを有している。ベース１０は、ソケット２０を固定する金属部材であり、光源ユニット１のカバー７が取り付けられた状態で、外枠３の開口部３ａを塞ぐように外枠３の内部に配置されている。ベース１０は、例えばアルミニウム等からなる。ベース１０は、光源モジュール３０から発生する熱を、ソケット２０を介して吸収して、外部に放出するヒートシンクの機能を有している。
【００１４】
ソケット２０は、光源モジュール３０を保持する部材であり、裏ソケット２１と表ソケット２２とを有している。ソケット２０は、セラミック樹脂等の樹脂材料を成形したものであり、ガラスよりも柔らかい素材である。裏ソケット２１は、光源モジュール３０が取り付けられた状態でベース１０に固定される部材である。表ソケット２２は、筒状をなしており、周縁部がレンズ４０の発光部３１側の面に対面する部材である対面部２６となっている。また、表ソケット２２において、対面部２６の内側には、光源モジュール３０を収納する収納空間２３と、光源モジュール３０を露出させるソケット開口２４とが形成されている。なお、ソケット開口２４の周縁部は、収納空間２３から広がって傾斜する傾斜面２５となっている。表ソケット２２と裏ソケット２１とは、光源モジュール３０を挟持した状態で、係合部材（図示せず）によって一体化され、ベース１０に固定される。なお、ソケット２０は省略されてもよい。
【００１５】
光源モジュール３０は、表ソケット２２の収納空間２３に収納され、発光部３１と基板３２とを有している。発光部３１は、光を出射する発光素子であり、例えばＬＥＤである。発光部３１は、例えば波長が４４０ｎｍ〜４８０ｎｍ程度の青色光を発するチップと、青色光を黄色光に波長変換する蛍光体とが樹脂パッケージの内部に設けられた素子としてもよい。この場合、発光部３１は、青色光と黄色光とが合成された白色光を発する発光素子である。なお、発光部３１は、本実施の形態１のように、ＣＯＢ型発光モジュールでもよいし、表面実装タイプのＬＥＤ素子でもよいし、有機ＥＬ素子でもよいし、レーザーダイオードでもよい。
【００１６】
基板３２は、平板状の部材であり、表面に発光部３１が実装されている。光源モジュール３０は、表ソケット２２の収納空間２３に収納された状態で、表ソケット２２と裏ソケット２１とに挟持される。ここで、光源モジュール３０から出射する光は、ソケット開口２４を通って、レンズ４０に至る。なお、ソケット２０が省略されている場合、基板３２が直接ベース１０に固定される。
【００１７】
レンズ４０は、発光部３１の光の出射方向側に配置され、略半球状をなしている。レンズ４０は、例えばガラス材料をモールド成形したものであり、発光部３１から出射された光を収集又は拡散等する。レンズ４０は、内部がくり抜かれた入射部４１と、半球の面である出射部４２と、半球の底面である底部４３と、底部４３の周縁部から径方向に延びるフランジ４４とを有している。入射部４１は、発光部３１から出射された光が入射する部分である。出射部４２は、レンズ４０内を通過した光が出射する部分である。底部４３は、表ソケット２２に対向する部分である。フランジ４４は、押さえ部５０に載置される部分である。
【００１８】
ここで、レンズ４０は、例えば２つの金型を用いて成形される。レンズ４０は、一方の金型が他方の金型に対し可動することによって成形される。具体的には、一方の金型は、入射部４１を形成する可動する凸型の金型であり、他方の金型は、出射部４２の外郭を形成する凹型の金型である。凹型の金型にガラス材料を流し込み、凸型の金型を凹型の金型側に押し込むことによって、凸型の金型と凹型の金型に挟まれたガラス材料は、所望の形状のガラスとなる。
【００１９】
押さえ部５０は、板状の部材であり、発光部３１の周囲に設けられる保持部５１からなる。保持部５１は、レンズ４０のフランジ４４が載置されることによって、レンズ４０を保持している。なお、保持部５１の内側には、レンズ４０の出射部４２が挿し込まれるレンズ用開口５２が形成されている。押さえ部５０は、保持部５１上にフランジ４４が載置されると共に、レンズ用開口５２にレンズ４０が挿し込まれた状態で、取付部材（図示せず）によってベース１０に取り付けられる。
【００２０】
次に、光源ユニット１の組み立てについて説明する。光源モジュール３０は、表ソケット２２の収納空間２３に収納された状態で、表ソケット２２と裏ソケット２１とが係合部材によって固定されることにより、ソケット２０と一体化する。ソケット２０と一体化した光源モジュール３０は、裏ソケット２１がベース１０に接触した状態で、ベース１０に固定される。また、レンズ４０は、フランジ４４が押さえ部５０の保持部５１に載置され、出射部４２がレンズ用開口５２から突出した状態で、押さえ部５０とベース１０とが取付部材によって固定される。これにより、レンズ４０は、発光モジュールの光の出射方向側に配置される。
【００２１】
なお、レンズ４０は、重力によるレンズ４０の自重によって、押さえ部５０の保持部５１に載置される。これにより、光源モジュール３０の発光部３１とレンズ４０の出射部４２との距離が決定される。なお、発光部３１と出射部４２との距離は、予め設計された設計値となるように、光源ユニット１が作製される。このようにして、光源ユニット１が組み立てられる。
【００２２】
図６は、本発明の実施の形態１に係る光源ユニット１を示す正面断面図の拡大図であり、図４の点線で囲まれた部分Ｂの拡大図である。図６に示すように、光源ユニット１において、レンズ４０は、押さえ部５０の保持部５１と、表ソケット２２の周縁部である対面部２６とに挟まれている。そして、レンズ４０と対面部２６との間には、空隙６０が形成されている。空隙６０は、レンズ４０の成形ばらつき及びソケット２０の成形ばらつきを吸収する許容空間として形成されている。また、空隙６０は、押さえ部５０がベース１０に取り付けられるときに生じるばらつきを吸収する許容空間でもある。このように、保持部５１は、ベース１０に取り付けられレンズ４０の発光部３１側の面に対面する部材である対面部２６と、レンズ４０との間に、空隙６０が形成されるように、レンズ４０を保持する。
【００２３】
ここで、ベース１０と押さえ部５０との距離は、レンズ４０のフランジ４４の厚さと、ソケット２０の厚さと、押さえ部５０の保持部５１がベース１０に取り付けられるときのばらつき値と、空隙６０の幅とを加算した合計の寸法である。また、空隙６０の幅は、例えば、フランジ４４の上限側最大ばらつき値と、対面部２６の上限側最大ばらつき値と、押さえ部５０の保持部５１がベース１０に取り付けられるときの上限側最大ばらつき値とを加算した値以上である。
【００２４】
ここで、フランジ４４の上限側最大ばらつき値について説明する。フランジ４４を有するレンズ４０は、前述の如く、金型によって成形されるため、大きさにばらつきが生じる。フランジ４４の厚さは、凸型の金型が上下可動する際、設計値に対し正側にばらつくか負側にばらつく。また、フランジ４４の厚さは、レンズ４０の材料の容量の変動によって、設計値に対し正側にばらつくか負側にばらつく。フランジ４４の上限側最大ばらつき値とは、成形される際に、設計値に対し正側にばらつくと予想される最大ばらつきである。
【００２５】
次に、対面部２６の上限側最大ばらつき値について説明する。周縁部が対面部２６である表ソケット２２は、成形される際、設計値に対し正側にばらつくか負側にばらつく。対面部２６の上限側最大ばらつき値とは、成形される際に、設計値に対し正側にばらつくと予想される最大ばらつきである。そして、保持部５１がベース１０に取り付けられるときの上限側最大ばらつき値について説明する。保持部５１が取付部材によってベース１０に取り付けられるとき、ベース１０と保持部５１との距離は、設計値に対し正側にばらつくか負側にばらつく。保持部５１がベース１０に取り付けられるときの上限側最大ばらつき値とは、取り付けられる際に、設計値に対し正側にばらつくと予想される最大ばらつきである。
【００２６】
本実施の形態１によれば、レンズ４０と対面部２６との間に空隙６０が形成されている。このため、レンズ４０の成形ばらつきによってフランジ４４が設計値より厚くても、フランジ４４は対面部２６を押圧しない。従って、発光部３１とレンズ４０との距離が設計値に保たれる。このように、光源ユニット１は、レンズ４０の成形ばらつきが生じても、光学特性への影響を抑制することができる。
【００２７】
また、本実施の形態１によれば、レンズ４０のフランジ４４の厚さは、対面部２６と保持部５１との間の距離よりも小さくなるように形成されている。よって、フランジ４４は対面部２６を押圧せずに、発光部３１とレンズ４０との距離が設計値に保たれる。このように、光源ユニット１は、レンズ４０の成形ばらつきが生じても、光学特性への影響を抑制することができる。
【００２８】
また、本実施の形態１によれば、フランジ４４が当接する保持部５１は、レンズ４０を少なくともレンズ４０の自重により保持することができる。このようにレンズ４０を保持することで、レンズ４０と対面部２６との間に空隙６０を形成することができる。従って、発光部３１とレンズ４０との距離が設計値に保たれる。このように、光源ユニット１は、レンズ４０の成形ばらつきが生じても、光学特性への影響を抑制することができる。なお、保持部５１は、レンズ４０を所定の位置に位置決めするものである。
【００２９】
図７は、比較例に係る光源ユニット１００を示す正面断面図の拡大図である。図７に示すように、比較例に係る光源ユニット１００は、ベース１０１と、ＬＥＤモジュール（図示せず）をベース１０１に固定する第１支持部１０２と、第１支持部１０２に支持されたレンズ１０５とを有している。レンズ１０５は、縁部が水平に延びたフランジ１０６となっており、第１支持部１０２に設けられた引掛部１０３と、引掛部１０３の先端に設けられた爪１０４とによって、フランジ１０６が第１支持部１０２側に押圧されて、レンズ１０５が第１支持部１０２に固定されている。
【００３０】
比較例において、フランジ１０６の厚さが設計値よりも厚くなると、第１支持部１０２の爪１０４に嵌まらなくなって、レンズ１０５の取付不良が発生する。このため、レンズ１０５のフランジ１０６を、設計値の厚さになるまで研磨する必要があり、作業工数が増加する。また、仮に、フランジ１０６が、第１支持部１０２の爪１０４に嵌まったとしても、ＬＥＤモジュールとレンズ１０５との距離が設計値よりも離れてしまい、所望の光学特性を得ることができない。
【００３１】
これに対し、本実施の形態１は、レンズ４０と対面部２６との間に空隙６０が形成されている。このため、レンズ４０の成形ばらつきによってフランジ４４が設計値より厚くても、フランジ４４は対面部２６を押圧しない。従って、発光部３１とレンズ４０との距離が設計値に保たれる。このように、空隙６０によって、レンズ４０の成形ばらつきを吸収及び許容することができる。従って、本実施の形態１は、成形ばらつきによる取り付け不良を抑制し、成形ばらつきによる光学性能の劣化を抑制することができる。
【００３２】
また、レンズ４０だけではなくソケット２０に成形ばらつきが発生しても、空隙６０は、ソケット２０の成形ばらつきを吸収及び許容することができる。更に、ベース１０は、天井に取り付けられ、発光部３１の光の出射方向が床に向かっており、レンズ４０は、重力によって、保持部５１に載置されている。このため、爪１０４等の係止部材を使用して、レンズ４０を押さえ部５０に取り付ける必要がない。従って、レンズ４０の成形ばらつきが生じても、レンズ４０の出射部４２と発光部３１との距離は不変である。よって、本実施の形態１は、成形ばらつきによる光学性能の劣化を抑制することができる。
【００３３】
更に、空隙６０の幅は、フランジ４４の上限側最大ばらつき値と、対面部２６の上限側最大ばらつき値と、保持部５１がベース１０に取り付けられるときの上限側最大ばらつき値とを加算した値以上である。このため、空隙６０は、レンズ４０の成形ばらつき、ソケット２０の成形ばらつき、及び取り付けばらつきを全て吸収することができる。従って、本実施の形態１は、成形ばらつきによる取り付け不良を抑制し、成形ばらつきによる光学性能の劣化を抑制することができる。
【００３４】
なお、光源ユニット１は、空隙６０に設けられ、レンズ４０よりも柔らかい柔軟部材を備えていてもよい。この場合、レンズ４０の成形ばらつきによってフランジ４４が設計値より厚くても、柔軟部材がその厚みを吸収するため、成形ばらつきによる取り付け不良を抑制し、成形ばらつきによる光学性能の劣化を抑制することができる。
【００３５】
実施の形態２．
図８は、本発明の実施の形態２に係る光源ユニット２００を示す正面断面図である。本実施の形態２は、押さえ部２５０の形状が実施の形態１と相違する。本実施の形態２では、実施の形態１と共通する部分は同一の符号を付して説明を省略し、実施の形態１との相違点を中心に説明する。
【００３６】
図８に示すように、保持部２５１を有する押さえ部２５０は、ベース１０に接触した状態で、取付部材によってベース１０に取り付けられている。押さえ部２５０は、フランジ４４が載置される部分から屈曲してベース１０側に延びベース１０に対向する部分において屈曲する断面Ｚ形状をなしている。このように、保持部２５１が、ベース１０に接触した状態で、取付部材によってベース１０に取り付けられても、実施の形態１のように、保持部５１が、ベース１０から離れた状態で、取付部材によって取り付けられる場合と同様に、成形ばらつきによる取り付け不良を抑制し、成形ばらつきによる光学性能の劣化を抑制するという効果を奏する。
【００３７】
実施の形態３．
図９は、本発明の実施の形態３に係る光源ユニット３００を示す正面断面図である。本実施の形態３は、押さえ部３５０が裏ソケット２１と一体的に形成されている点で、実施の形態１と相違する。本実施の形態３では、実施の形態１及び２と共通する部分は同一の符号を付して説明を省略し、実施の形態１及び２との相違点を中心に説明する。
【００３８】
図９に示すように、保持部３５１である押さえ部３５０は、裏ソケット２１と一体的に形成されている。これにより、押さえ部３５０をベース１０に取り付ける手間が省ける。なお、押さえ部３５０は、表ソケット２２の縁部と一体的に形成されてもよい。また、押さえ部３５０が裏ソケット２１と一体的に形成されている場合、表ソケット２２が省略されてもよい。更に、表ソケット２２は、押さえ部３５０がベース１０に取り付けられている場合にも、省略することができる。
【００３９】
実施の形態４．
図１０は、本発明の実施の形態４に係る光源ユニット４００を示す正面断面図である。本実施の形態４は、ソケット２０が省略されている点で、実施の形態１と相違する。本実施の形態４では、実施の形態１〜３と共通する部分は同一の符号を付して説明を省略し、実施の形態１〜３との相違点を中心に説明する。
【００４０】
図１０に示すように、本実施の形態４は、基板４３２がベース１０に接着剤等によって直接取り付けられている。また、レンズ４０の底部４３が、基板４３２と対向している。このように、本実施の形態４は、ソケット２０が省略されており、対面部４３３が基板４３２の縁部であり、フランジ４４は、押さえ部４５０の保持部４５１に載置されている。本実施の形態４のように、対面部４３３が、発光部３１が実装された基板４３２の縁部である場合も、実施の形態１のように、対面部２６が、発光部３１を保持するソケット２０の縁部である場合と同様に、成形ばらつきによる取り付け不良を抑制し、成形ばらつきによる光学性能の劣化を抑制するという効果を奏する。
【００４１】
実施の形態５．
図１１は、本発明の実施の形態５における照明器具５００を示す斜視図である。図１１に示すように、光源ユニット１は、埋め込み式の照明器具２に限らず、直付けの非常灯に適用することもできる。
【００４２】
実施の形態６．
図１２は、本発明の実施の形態６における照明器具６００を示す斜視図である。図１２に示すように、光源ユニット１は、埋め込み式の照明器具２に限らず、長尺の照明器具６００に適用することもできる。
【符号の説明】
【００４３】
１  光源ユニット、２  照明器具、３  外枠、３ａ  開口部、３ｂ  鍔部、３ｃ  光源取付孔、４  点灯装置、５  バッテリー、６  発光装置、７  カバー、８  取付具、１０  ベース、２０  ソケット、２１  裏ソケット、２２  表ソケット、２３  収納空間、２４  ソケット開口、２５  傾斜面、２６  対面部、３０  光源モジュール、３１  発光部、３２  基板、４０  レンズ、４１  入射部、４２  出射部、４３  底部、４４  フランジ、５０  押さえ部、５１  保持部、５２  レンズ用開口、６０  空隙、１００  光源ユニット、１０１  ベース、１０２  第１支持部、１０３  引掛部、１０４  爪、１０５  レンズ、１０６  フランジ、２００  光源ユニット、２５０  押さえ部、２５１  保持部、３００  光源ユニット、３５０  押さえ部、３５１  保持部、４００  光源ユニット、４３２  基板、４３３  対面部、４５０  押さえ部、４５１  保持部、５００  照明器具、６００  照明器具。
【図１】
2018186051.tif 000003
【図２】
2018186051.tif 000004
【図３】
2018186051.tif 000005
【図４】
2018186051.tif 000006
【図５】
2018186051.tif 000007
【図６】
2018186051.tif 000008
【図７】
2018186051.tif 000009
【図８】
2018186051.tif 000010
【図９】
2018186051.tif 000011
【図１０】
2018186051.tif 000012
【図１１】
2018186051.tif 000013
【図１２】
2018186051.tif 000014